(57)【要約】  【課題】  形式やメーカー毎にかかわらず多様なオイルタンクをそのまま支持可能とする。  【解決手段】  保持杆２に開孔されたねじ孔５，５Ａ，５Ｂ，５Ｃを、前記フランジ１１に開孔されたねじ孔１１Ａの位置が異なる各種オイルタンクに夫々対応可能な位置及び個数開孔した。  【選択図】  図１
0003117955.tif 000002
【実用新案登録請求の範囲】
【請求項１】
灯油、軽油、各種オイル類等を貯蔵するオイルタンクが、当該オイルタンクの周囲に設けられたフランジを保持杆にボルト・ナットで連結することで支持されるオイルタンクの支持構造において、
前記保持杆に開孔されたねじ孔が、前記フランジに開孔されたねじ孔の位置が異なる各種オイルタンクに夫々対応可能な位置及び個数開孔されていることを特徴とするオイルタンクの支持構造。
【請求項２】
前記保持杆は、当該保持杆を支持する接地部材に立設され、当該保持杆は、前記設置部材に対してボルト・ナットにより連結されるとともに、接地部材における保持杆の支持面に開孔されたねじ孔をオイルタンクの幅方向に沿う長孔にすることによって、保持杆をオイルタンクの幅方向に沿って移動可能にしていることを特徴とする請求項１に記載のオイルタンクの支持構造。
【請求項３】
前記接地部材がオイルタンクからのオイルを受容する受容部であることを特徴とする請求項２に記載のオイルタンクの支持構造。
【考案の詳細な説明】
【技術分野】
【０００１】
本考案は、灯油、軽油、各種オイル類等を貯蔵するのに用いられるオイルタンクの支持構造に関する。
【背景技術】
【０００２】
灯油、軽油、各種オイル類等を貯蔵するオイルタンクは、例えば灯油用の場合、寒冷地においては、「ホームタンク」呼ばれ、ほとんどの家庭の灯油タンクとして使用されている。
この灯油用タンクに用いられるホームタンクの一例として、本願出願人が実用新案登録出願したものが有る。(特許文献１参照)
特許文献１に記載のオイルタンクは、オイルタンクにおける左右のフランジを保持杆に連結することにより保持されるようになっている。
【特許文献１】実用新案登録第３１０３２１９号公報（〔図１〕〜〔図４〕）
【考案の開示】
【考案が解決しようとする課題】
【０００３】
ところで、オイルタンクに腐食等が生じた際には、そのオイルタンクを新しいものに交換するが、このオイルタンクは、その形式やメーカー毎にオイルタンクのフランジに開孔されたねじ孔の位置やその孔数が異なる場合がある。
そのため、オイルタンクの交換時には、交換するオイルタンクを同一のオイルタンク、又はフランジのねじ孔の位置や孔数と同一のものを選択する必要があるが、例えば、オイルタンクの交換時期において既に同型のオイルタンクがモデルチェンジ等で無く同じようなオイルタンクを使用したり、目的の機能を有する他メーカーのオイルタンクを使用したりする場合がある。
しかしながら、これらのオイルタンクにおけるフランジのねじ孔に対応した保持杆を用意したり、既設の保持杆に前記ねじ孔に対応するねじ孔を新たに開孔したりする必要があった。
本願出願人は、形式やメーカー毎にかかわらず多様なオイルタンクをそのまま支持可能とするという観点から鋭意研究の結果本願考案に至った。
【０００４】
そこで本考案は、形式やメーカー毎にかかわらず多様なオイルタンクをそのまま支持可能とすることを課題とし、この課題を解決するオイルタンクの支持構造の提供を目的とする。
【課題を解決するための手段】
【０００５】
本考案は、上記目的を達成するために下記の技術的手段を採用した。
その第１考案は、灯油、軽油、各種オイル類等を貯蔵するオイルタンクが、当該オイルタンクの左右のフランジを保持杆にボルト・ナットで連結することで支持されるオイルタンクの支持構造において、前記保持杆に開孔されたねじ孔が、前記フランジに開孔されたねじ孔の位置が異なる各種オイルタンクに夫々対応可能な位置及び個数開孔されていることを特徴とするオイルタンクの支持構造にしたことである。
ここで云う、各種オイルタンクとは、例えば、ねじ孔の位置や孔数が異なるフランジを有する他メーカーのオイルタンクや形式の異なるオイルタンクを意味する。
【０００６】
又、各種オイルタンクの異なる幅に対応可能なオイルタンクの支持構造の提供という観点から、第２考案では、前記保持杆は、当該保持杆を支持するとともに、保持杆に支持されたオイルタンクを支える接地部材に立設され、当該保持杆は、前記設置部材に対してボルト・ナットにより連結されるとともに、接地部材における保持杆の支持面に開孔されたねじ孔をオイルタンクの幅方向に沿う長孔にすることによって、保持杆をオイルタンクの幅方向に沿って移動可能にしていることを特徴とするオイルタンクの支持構造にした。
ここで云うオイルタンクの幅方向とは、オイルタンクの正面視において左右方向を意味する。
【０００７】
前記第２考案で云う接地部材とは、保持杆を支持するとともに、保持杆に支持されたオイルタンクを支える機能を有するものであればよく、例えば、各種鋼材からなる周知の枠体状のものや、第３考案のように、前記接地部材がオイルタンクからのオイルを受容する受容部が例示できる。
【０００８】
本考案のオイルタンクの支持構造は、接地部材が前記した枠体のもの、第３考案のように受容部のもの、更に、特許文献１で例示したもののように受容部にカバー部を有したもの等に適用可能である。
【考案の効果】
【０００９】
本考案によれば、下記の優れた効果が期待できる。
第１考案によれば、オイルタンクを保持する保持杆に、各種オイルタンク毎に異なるフランジのねじ孔の位置及び孔数に対応できるねじ孔が開孔され、そのねじ孔の内、目的のオイルタンクのフランジのねじ孔と対応するねじ孔を使用して、フランジのねじ孔と保持杆のねじ孔とにボルトを貫通しナットで締め付けることにより、保持杆に対してオイルタンクが一体化する。
したがって、形式やメーカー毎にかかわらず多様なオイルタンクをそのまま支持可能とすることができる。
【００１０】
又、第２考案によれば、異なる幅の各種オイルタンクを保持することができる。
又、第３考案によれば、前記第２応安の効果に加え、仮に、オイルタンクから油漏れがあってもその油は受容部が受容するので、オイルタンク周辺を油で汚してしまうことを防ぐことができる。
【考案を実施するための最良の形態】
【００１１】
以下、本考案のオイルタンクの支持構造を実施するための最良の形態を図面に基づいて説明する。
図１は、本考案のオイルタンクの支持構造を実施したホームタンクＴを示し、符号１はオイルタンク、符号２は保持杆、符号３は接地部材の受容部である。
又、本形態では、受容部３上にオイルタンク１をカバーするカバー部４を備えたホームタンクにおいてオイルタンク１の支持構造を実施したものを例示する。
【００１２】
本形態におけるホームタンクＴの構成は、実用新案登録第３１０３２１９号公報により既に公知であるので具体的な説明は省略するが、基本的な構成として、ホームタンクＴは、オイルタンク１を保持する保持杆２を支持するとともに、漏れたオイルを受容する槽体状の受容部３上にカバー部４が着脱可能に設置されてなるものである。
【００１３】
オイルタンク１は、通常のホームタンクに用いられる周知の構造のものであるので、詳細な説明は省略するが、周囲面にフランジ１１を、上面に給油口１２およびオーバーフロー１３さらに通気管１４を、下面に取出し口１５をそれぞれ備えているものである。
受容部３は、金属材又は硬質の合成樹脂材等の硬質の不透明材を用いて槽状体形成されたものであり、側壁には、受容部３に溜まったオイル量を表示するゲージ３１と、溜まったオイルを抜き取るためのドレン３２が備えられている。
又、受容部３の体積は、オイルタンク１の体積よりも大きいものであり、これによって、オイルタンク１がオイル満タン状態においてオイル漏れを起こした場合でも、すべてのオイルをオーバーフローさせること無く受容することができる。
又、符号３３は、前記保持杆２の支持用の支持面部であり、受容部３の上端縁３４の内周全域に亘ってアングルをボルト・ナットＢ１で固定して構成されている。
【００１４】
前記保持杆２は、受容部３の前後に位置する前記支持面部３３に亘って架設される支持板２１上に、前記オイルタンク１における左右のフランジ１１と対面するように立設されている。
又、保持杆２には、多数のねじ孔５，５Ａ，５Ｂ，５Ｃが開孔され、これらねじ孔５，５Ａとフランジ１１のねじ孔１１Ａを対面させ、これらねじ孔にボルト・ナットＢ２を貫通固定することによってオイルタンク１が保持される。
これらねじ孔５，５Ａ，５Ｂ，５Ｃは、メーカー毎のオイルタンクにおけるフランジのねじ孔に対応する位置に開孔されている。
具体的には、ねじ孔５は、各メーカーのオイルタンクにおけるフランジの下側のねじ孔に共通して対応するものである。
又、ねじ孔５Ａ，５Ｂ，５Ｃは、前記ねじ孔５との距離が、メーカー毎のオイルタンクにおけるフランジの上下のねじ孔間の距離と夫々同距離となる位置に開孔されている。
例えば、ねじ孔５，５Ａ間の距離は、メーカーＡのオイルタンクにおけるフランジの上下のねじ孔間の距離と同距離に、ねじ孔５，５Ｂ間の距離は、メーカーＢのオイルタンクにおけるフランジの上下のねじ孔間の距離と同距離に、ねじ孔５，５Ｃ間の距離は、メーカーＣのオイルタンクにおけるフランジの上下のねじ孔間の距離と同距離にされている(図１参照)。
すなわち、オイルタンクの交換時において、他メーカーのオイルタンクを使用する際に、当該オイルタンクにおけるフランジのねじ孔に適合する位置のねじ孔を使用することにより、既設の保持杆２に他メーカーのオイルタンクを取り付けることができる。
【００１５】
更に、前記保持杆２は、オイルタンク１の幅方向に沿って移動可能になっている。
具体的には、前記支持面部３３にオイルタンクの幅方向に沿う長孔２２を開孔し、この長孔２２に前記支持板２１に開孔されたねじ孔２３を対面させて当該ねじ孔２３と長孔とにボルトを貫通させるとともにナットで締め付けて固定する構造にしている(図３，図４参照)。
すなわち、ボルト・ナットＢ３を緩めることによって、支持板２１がオイルタンク１の幅方向に沿って移動可能となり、この支持板２１の移動に伴って保持杆２が移動する。
したがって、保持杆２を移動させることによって、メーカー毎に異なる幅のオイルタンクの幅に適合させることができるので、既設の保持杆２に他メーカーのオイルタンクを取り付けることができる。
【００１６】
尚、本考案は例示した実施例に限定されるものではなく、実用新案登録請求の範囲された内容から逸脱しない範囲で他の構成による実施が可能である。
【図面の簡単な説明】
【００１７】
【図１】本考案にかかるオイルタンクの支持構造を実施したホームタンクの一部切欠正面図。
【図２】同、ホームタンクの一部切欠側面図。
【図３】要部拡大正面図。
【図４】図３の(４)-(４)線断面図。
【符号の説明】
【００１８】
１：オイルタンク
２：保持杆
３：受容部(接地部材)
５：ねじ孔
５Ａ：ねじ孔
５Ｂ：ねじ孔
５Ｃ：ねじ孔
１１：フランジ
２１：支持板
３３：支持面部
２２：長孔
２３：ねじ孔
Ｂ１：ボルト・ナット
Ｂ２：ボルト・ナット
Ｂ３：ボルト・ナット
【図１】
0003117955.tif 000003
【図２】
0003117955.tif 000004
【図３】
0003117955.tif 000005
【図４】
0003117955.tif 000006